(57)【要約】  ＨＤＲ光電変換特性を用いて得られた伝送ビデオデータに対する受信側の電光変換処理を良好に行い得るようにする。  ハイダイナミックレンジビデオデータにハイダイナミックレンジ光電変換を行って伝送ビデオデータを得る。この伝送ビデオデータにエンコード処理を施してビデオストリームを得る。このビデオストリームを含む所定フォーマットのコンテナを送信する。ビデオストリームのパラメータセット領域に、ハイダイナミックレンジ光電変換特性に対応した電光変換特性を示すメタ情報を挿入する。
2016108268.tif 000002
【特許請求の範囲】
【請求項１】
ハイダイナミックレンジビデオデータにハイダイナミックレンジ光電変換を行って伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのパラメータセット領域に上記ハイダイナミックレンジ光電変換特性に対応した電光変換特性を示すメタ情報を挿入する情報挿入部を備える
送信装置。
【請求項２】
上記パラメータセット領域は、ＳＰＳ  ＮＡＬユニットの領域である
請求項１に記載の送信装置。
【請求項３】
上記情報挿入部は、上記コンテナのレイヤに、上記ビデオストリームがハイダイナミックレンジに対応していることを示す識別情報をさらに挿入する
請求項１に記載の送信装置。
【請求項４】
上記識別情報には、上記ビデオストリームが通常ダイナミックレンジとの表示互換性があるか否を示す情報が付加される
請求項３に記載の送信装置。
【請求項５】
上記識別情報には、上記ビデオストリームの表示輝度調整が禁止されるか否かを示す情報が付加される
請求項３に記載の送信装置。
【請求項６】
上記コンテナは、トランスポートストリームであり、
上記情報挿入部は、上記識別情報を、プログラム・マップ・テーブル、あるいはイベント・インフォメーション・テーブルの配下に挿入する
請求項３に記載の送信装置。
【請求項７】
上記コンテナは、ＭＭＴストリームであり、
上記情報挿入部は、上記識別情報を、ＭＭＴ・パッケージ・テーブルの配下に挿入する
請求項３に記載の送信装置。
【請求項８】
上記情報挿入部は、上記ビデオストリームの上記パラメータセット領域とは異なる領域に、表示制御のためのメタ情報をさらに挿入する
請求項１に記載の送信装置。
【請求項９】
上記表示制御のためのメタ情報は、ピーク輝度情報を含む
請求項８に記載の送信装置。
【請求項１０】
上記表示制御のためのメタ情報は、表示輝度調整を許容する領域を示す領域情報を含む
請求項８に記載の送信装置。
【請求項１１】
上記表示制御のためのメタ情報は、上記ビデオストリームの表示輝度調整が禁止されるか否かを示す情報を含む
請求項８に記載の送信装置。
【請求項１２】
上記異なる領域は、ＳＥＩ  ＮＡＬユニットの領域である
請求項８に記載の送信装置。
【請求項１３】
ハイダイナミックレンジビデオデータにハイダイナミックレンジ光電変換を行って伝送ビデオデータを得る光電変換ステップと、
上記伝送ビデオデータにエンコード処理を施してビデオストリームを得るエンコードステップと、
送信部により、上記ビデオストリームを含む所定フォーマットのコンテナを送信する送信ステップと、
上記ビデオストリームのパラメータセット領域に上記ハイダイナミックレンジ光電変換特性に対応した電光変換特性を示すメタ情報を挿入する情報挿入ステップを有する
送信方法。
【請求項１４】
伝送ビデオデータが符号化されて得られたビデオストリームを含む所定フォーマットのコンテナを受信する受信部と、
上記ビデオストリームにデコード処理を施して上記伝送ビデオデータを得るデコード部と、
上記デコード部で得られた上記伝送ビデオデータに電光変換を行って表示用ビデオデータを得る電光変換部を備え、
上記伝送ビデオデータは、ハイダイナミックレンジデータにハイダイナミックレンジ光電変換が施されて得られたものであり、
上記ビデオストリームのパラメータセット領域に上記ハイダイナミックレンジ光電変換の特性に対応した電光変換特性を示すメタ情報が挿入されており、
上記ビデオストリームから上記メタ情報を抽出する情報抽出部をさらに備え、
上記電光変換部は、上記情報抽出部で抽出された上記メタ情報が示す電光変換特性を用いる
受信装置。
【請求項１５】
上記パラメータセット領域は、ＳＰＳ  ＮＡＬユニットの領域である
請求項１４に記載の受信装置。
【請求項１６】
上記コンテナのレイヤに、上記ビデオストリームがハイダイナミックレンジに対応していることを示す識別情報が挿入されており、
上記情報抽出部は、上記識別情報に基づいて上記ビデオストリームのパラメータセット領域から上記メタ情報を抽出する
請求項１４に記載の受信装置。
【請求項１７】
上記ビデオストリームの上記パラメータセット領域とは異なる領域に表示制御のためのメタ情報が含まれており、
上記表示制御のためのメタ情報に基づいて上記表示用ビデオデータに表示輝度調整を行う輝度調整部をさらに備える
請求項１４に記載の受信装置。
【請求項１８】
上記表示制御のためのメタ情報は表示輝度調整を許容する領域を示す領域情報を含み、
上記輝度調整部は、上記表示輝度調整を許容する領域で上記表示輝度調整を行う
請求項１７に記載の受信装置。
【請求項１９】
上記コンテナのレイヤおよび/または上記ビデオストリームのレイヤに、上記ビデオストリームの表示輝度調整が禁止されるか否かを示す情報が挿入されており、
上記輝度調整部は、上記ビデオストリームの表示輝度調整が禁止されるか否かを示す情報が禁止されることを示すとき、上記表示用ビデオデータに表示輝度調整を行わない
請求項１７に記載の受信装置。
【請求項２０】
受信部により、伝送ビデオデータが符号化されて得られたビデオストリームを含む所定フォーマットのコンテナを受信する受信ステップと、
上記ビデオストリームにデコード処理を施して上記伝送ビデオデータを得るデコードステップと、
上記デコードステップで得られた上記伝送ビデオデータに電光変換を行って表示用ビデオデータを得る電光変換ステップを有し、
上記伝送ビデオデータは、ハイダイナミックレンジデータにハイダイナミックレンジ光電変換が施されて得られたものであり、
上記ビデオストリームのパラメータセット領域に上記ハイダイナミックレンジ光電変換の特性に対応した電光変換特性を示すメタ情報が挿入されており、
上記電光変換ステップでは、上記メタ情報が示す電光変換特性を用いる
受信方法。
【発明の詳細な説明】
【技術分野】
【０００１】
本技術は、送信装置、送信方法、受信装置および受信方法に関し、詳しくは、ハイダイナミックレンジビデオデータにハイダイナミックレンジ光電変換を適用して得られた伝送ビデオデータを送信する送信装置等に関する。
【背景技術】
【０００２】
従来、ハイダイナミックレンジビデオデータにハイダイナミックレンジ光電変換を適用して得られた伝送ビデオデータを送信することが考えられている。以下、ハイダイナミックレンジを、適宜、「ＨＤＲ」と表記する。例えば、非特許文献１には、従来受信機による受信を考慮した、従来の光電変換特性（ガンマ特性）との互換領域を含むＨＤＲ光電変換特性（新ガンマ特性）についての記載がある。
【先行技術文献】
【非特許文献】
【０００３】
【非特許文献１】Tim Borer, “Non-Linear Opto-Electrical Transfer Functions for High Dynamic Range Television”, Research & Development White Paper WHP 283, July 2014
【発明の概要】
【発明が解決しようとする課題】
【０００４】
本技術の目的は、ＨＤＲ光電変換特性を用いて得られた伝送ビデオデータに対する受信側の電光変換処理を良好に行い得るようにすることにある。
【課題を解決するための手段】
【０００５】
本技術の概念は、
ハイダイナミックレンジビデオデータにハイダイナミックレンジ光電変換を行って伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのパラメータセット領域に上記ハイダイナミックレンジ光電変換特性に対応した電光変換特性を示すメタ情報を挿入する情報挿入部を備える
送信装置にある。【０００６】
本技術において、光電変換部により、ハイダイナミックレンジビデオデータにハイダイナミックレンジ光電変換が行われて伝送ビデオデータが得られる。エンコード部により、伝送ビデオデータにエンコード処理が施されてビデオストリームが得られる。送信部により、このビデオストリームを含む所定フォーマットのコンテナが送信される。【０００７】
情報挿入部により、ビデオストリームのパラメータセット領域にハイダイナミックレンジ光電変換特性に対応した電光変換特性を示すメタ情報が挿入される。例えば、パラメータセット領域は、ＳＰＳ  ＮＡＬユニットの領域である、ようにされてもよい。【０００８】
このように本技術においては、ビデオストリームのパラメータセット領域にハイダイナミックレンジ光電変換特性に対応した電光変換特性を示すメタ情報が挿入されるものである。そのため、ＨＤＲ光電変換特性を用いて得られた伝送ビデオデータに対する受信側の電光変換処理を良好に行い得る。【０００９】
また、本技術において、例えば、情報挿入部は、コンテナのレイヤに、ビデオストリームがハイダイナミックレンジに対応していることを示す識別情報をさらに挿入する、ようにされてもよい。この識別情報により受信側ではビデオストリームがハイダイナミックレンジに対応していることを容易に認識でき、ビデオストリームのパラメータセット領域からハイダイナミックレンジ光電変換特性に対応した電光変換特性を示すメタ情報を抽出して、伝送ビデオデータに適切な電光変換を行うことが可能となる。【００１０】
この場合、例えば、識別情報には、ビデオストリームが通常ダイナミックレンジとの表示互換性があるか否を示す情報が付加される、ようにされてもよい。また、この場合、例えば、識別情報には、ビデオストリームの表示輝度調整が禁止されるか否かを示す情報が付加される、ようにされてもよい。【００１１】
また、この場合、例えば、コンテナは、トランスポートストリームであり、情報挿入部は、識別情報を、プログラム・マップ・テーブル、あるいはイベント・インフォメーション・テーブルの配下に挿入する、ようにされてもよい。また、この場合、例えば、コンテナは、ＭＭＴストリームであり、情報挿入部は、識別情報を、ＭＭＴ・パッケージ・テーブルの配下に挿入する、ようにされてもよい。【００１２】
また、本技術は、例えば、情報挿入部は、ビデオストリームのパラメータセット領域とは異なる領域に、表示制御のためのメタ情報をさらに挿入する、ようにされてもよい。この場合、例えば、表示制御のためのメタ情報は、ピーク輝度情報を含む、ようにされてもよい。また、この場合、例えば、表示制御のためのメタ情報は、表示輝度調整を許容する領域を示す領域情報を含む、ようにされてもよい。この場合、表示制御のためのメタ情報を用いて表示制御を適切に行い得るようになる。【００１３】
また、この場合、例えば、表示制御のためのメタ情報は、ビデオストリームの表示輝度調整が禁止されるか否かを示す情報を含む、ようにされてもよい。これにより、表示輝度に関して制作側の意図を超える調整を抑制でき、あるいは、視聴者の眼の疲労を抑制できる。【００１４】
また、本技術の他の概念は、
伝送ビデオデータが符号化されて得られたビデオストリームを含む所定フォーマットのコンテナを受信する受信部と、
上記ビデオストリームにデコード処理を施して上記伝送ビデオデータを得るデコード部と、
上記デコード部で得られた上記伝送ビデオデータに電光変換を行って表示用ビデオデータを得る電光変換部を備え、
上記伝送ビデオデータは、ハイダイナミックレンジデータにハイダイナミックレンジ光電変換が施されて得られたものであり、
上記ビデオストリームのパラメータセット領域に上記ハイダイナミックレンジ光電変換の特性に対応した電光変換特性を示すメタ情報が挿入されており、
上記ビデオストリームから上記メタ情報を抽出する情報抽出部をさらに備え、
上記電光変換部は、上記情報抽出部で抽出された上記メタ情報が示す電光変換特性を用いる
受信装置にある。【００１５】
本技術において、受信部により、伝送ビデオデータが符号化されて得られたビデオストリームを含む所定フォーマットのコンテナが受信される。デコード部により、ビデオストリームにデコード処理が施されて伝送ビデオデータが得られる。そして、電光変換部により、伝送ビデオデータに電光変換が行われて表示用ビデオデータが得られる。【００１６】
伝送ビデオデータは、ハイダイナミックレンジデータにハイダイナミックレンジ光電変換が施されて得られたものである。ビデオストリームのパラメータセット領域にハイダイナミックレンジ光電変換特性に対応した電光変換特性を示すメタ情報が挿入されている。情報抽出部により、ビデオストリームからメタ情報が抽出される。電光変換部では、このメタ情報が示す電光変換特性が用いられて、伝送ビデオデータに電光変換が施される。例えば、パラメータセット領域は、ＳＰＳ  ＮＡＬユニットの領域である、ようにされてもよい。【００１７】
このように本技術においては、ビデオストリームのパラメータセット領域からハイダイナミックレンジ光電変換特性に対応した電光変換特性を示すメタ情報が抽出され、このメタ情報が示す電光変換特性が用いられて伝送ビデオデータに電光変換が行われるものである。そのため、ハイダイナミックレンジ光電変換特性を用いて得られた伝送ビデオデータに対する電光変換処理を良好に行い得る。【００１８】
なお、本技術において、例えば、コンテナのレイヤに、ビデオストリームがハイダイナミックレンジに対応していることを示す識別情報が挿入されており、情報抽出部は、識別情報に基づいてビデオストリームのパラメータセット領域からメタ情報を抽出する、ようにされてもよい。この場合、ビデオストリームのパラメータセット領域からメタ情報の抽出が確実に行われ、従って、伝送ビデオデータに適切な電光変換を行うことが可能となる。【００１９】
また、本技術において、例えば、ビデオストリームのパラメータセット領域とは異なる領域に表示制御のためのメタ情報が含まれており、表示制御のためのメタ情報に基づいて表示用ビデオデータに表示輝度調整を行う輝度調整部をさらに備える、ようにされてもよい。この場合、例えば、表示制御のためのメタ情報は表示輝度調整を許容する領域を示す領域情報を含み、輝度調整部は、表示輝度調整を許容する領域で表示輝度調整を行う、ようにされてもよい。この場合、表示輝度調整を適切に行い得る。【００２０】
また、この場合、例えば、コンテナのレイヤおよび/またはビデオストリームのレイヤに、ビデオストリームの表示輝度調整が禁止されるか否かを示す情報が挿入されており、輝度調整部は、ビデオストリームの表示輝度調整が禁止されるか否かを示す情報が禁止されることを示すとき、表示用ビデオデータに表示輝度調整を行わない、ようにされてもよい。これにより、表示輝度に関して制作側の意図を超える調整を抑制でき、あるいは、視聴者の眼の疲労を抑制できる。
【発明の効果】
【００２１】
本技術によれば、ＨＤＲ光電変換特性を用いて得られた伝送ビデオデータに対する受信側の電光変換処理を良好に行い得る。なお、本明細書に記載された効果はあくまで例示であって限定されるものではなく、また付加的な効果があってもよい。
【図面の簡単な説明】
【００２２】
【図１】実施の形態としての送受信システムの構成例を示すブロック図である。
【図２】送受信システムを構成する送信装置の構成例を示すブロック図である。
【図３】ＨＤＲ光電変換の特性を説明するための図である。
【図４】ＨＤＲ電光変換特性のタイプで、直接的あるいは間接的に、リファレンスレベル「reference level」や閾値レベル「threshold level」を指定することが可能であることを説明するための図である。
【図５】符号化方式がＨＥＶＣである場合におけるＧＯＰの先頭のアクセスユニットを示す図である。
【図６】符号化方式がＨＥＶＣである場合におけるＧＯＰの先頭以外のアクセスユニットを示す図である。
【図７】ダイナミックレンジ・ＳＥＩメッセージの構造例を示す図である。
【図８】ダイナミックレンジ・ＳＥＩメッセージの構造例における主要な情報の内容を示す図である。
【図９】ハイダイナミックレンジ・デスクリプタの構造例を示す図である。
【図１０】ハイダイナミックレンジ・デスクリプタの構造例における主要な情報の内容を示す図である。
【図１１】トランスポートストリームの構成例を示す図である。
【図１２】送受信システムを構成する受信装置の構成例を示すブロック図である。
【図１３】ＨＤＲ電光変換の特性、ＨＤＲ表示マッピング処理などを説明するための図である。
【図１４】送受信システムの他の構成例を示すブロック図である。
【図１５】セットトップボックスからモニタに送る“Vender Specific InfoFrame”のパケットの第７バイト以降の構造例を示す図である。
【図１６】“Vender Specific InfoFrame”のパケットの各構造例における主要な情報の内容を示す図である。
【図１７】ＭＭＴストリームの構成例を示す図である。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［送受信システムの構成例］
図１は、実施の形態としての送受信システム１０の構成例を示している。この送受信システム１０は、送信装置１００および受信装置２００により構成されている。
【００２５】
送信装置１００は、コンテナとしてのＭＰＥＧ２のトランスポートストリームＴＳを生成し、このトランスポートストリームＴＳを放送波あるいはネットのパケットに載せて送信する。このトランスポートストリームＴＳには、ＨＤＲビデオデータにＨＤＲ光電変換を行って得られた伝送ビデオデータにエンコード処理を施して得られたビデオストリームが含まれる。
【００２６】
ビデオストリームのパラメータセット領域に、ＨＤＲ光電変換特性に対応した電光変換特性を示すメタ情報が挿入される。また、コンテナのレイヤに、ビデオストリームがＨＤＲに対応していることを示す識別情報が挿入されている。この識別情報には、ビデオストリームが通常ダイナミックレンジとの表示互換性があるか否かを示す情報やビデオストリームの表示輝度調整が禁止されているか否かを示す情報などが含まれる。以下、通常ダイナミックレンジを、適宜、「ＬＤＲ」と表記する。
【００２７】
また、ビデオストリームの、パラメータセット領域とは異なる領域に、表示制御のための情報が挿入される。この表示制御のためのメタ情報には、ピーク輝度情報や表示輝度調整を許容する領域を示す領域情報、ビデオストリームの表示輝度調整が禁止されているか否かを示す情報などが含まれる。
【００２８】
受信装置２００は、受信コンテナに含まれているビデオストリームにデコード処理を施して伝送ビデオデータを得る。受信装置２００は、ビデオストリームのパラメータセット領域に挿入されているメタ情報が示す伝送変換特性に基づいて、伝送ビデオデータに光電変換を行って表示用ビデオデータを得る。この場合、受信装置２００は、コンテナのレイヤに挿入されているビデオストリームがハイダイナミックレンジに対応していることを示す識別情報に基づいて、ビデオストリームのパラメータセット領域に挿入されているメタ情報を抽出する。
【００２９】
また、受信装置２００は、ビデオストリームのパラメータセット領域に挿入されている表示制御のための情報に基づいて、表示用ビデオデータに、表示マッピング処理、つまり表示輝度調整をする。コンテナのレイヤおよび/またはビデオストリームのレイヤに挿入されている表示輝度調整が禁止されるか否かを示す情報が禁止されることを示すとき、この表示輝度調整は行われない。
【００３０】
「送信装置の構成例」
図２は、送信装置１００の構成例を示している。この送信装置１００は、制御部１０１と、ＨＤＲカメラ１０２と、ＨＤＲ光電変換部１０３と、ビデオエンコーダ１０４と、システムエンコーダ１０５と、送信部１０６を有している。制御部１０１は、ＣＰＵ（Central Processing Unit）を備えて構成され、制御プログラムに基づいて、送信装置１００の各部の動作を制御する。
【００３１】
ＨＤＲカメラ１０２は、被写体を撮像して、ＨＤＲ（High Dynamic Range）ビデオデータを出力する。このＨＤＲビデオデータは、従来のＳＤＲ画像の白ピークの明るさを超える０〜１００％＊Ｎ（Ｎは１より大きい数）、例えば０〜１０００％などのコントラスト比を持つ。ここで、１００％のレベルは、例えば、白の輝度値１００ｃｄ/ｍ２に相当する。
【００３２】
マスターモニタ１０３ａは、ＨＤＲカメラ１０２で得られるＨＤＲビデオデータをグレーディングするためのモニタである。このマスターモニタ１０３ａは、ＨＤＲビデオデータに対応した、あるいは、ＨＤＲビデオデータをグレーディングするのに適した表示輝度レベルを持っている。
【００３３】
ＨＤＲ光電変換部１０３は、ＨＤＲカメラ１０２で得られるＨＤＲビデオデータに対して、ＨＤＲ光電変換特性を適用して、伝送ビデオデータＶ１を得る。図３の実線ａ、破線ｂは、それぞれ、ＨＤＲ光電変換特性を示すＨＤＲ ＯＥＴＦカーブの一例である。また、図３の破線ｃは、ＳＤＲ光電変換特性を示すＳＤＲ ＯＥＴＦカーブである。この図において、横軸は入力輝度レベルを示し、縦軸は伝送符号値を示す。
【００３４】
ＨＤＲ光電変換特性は、上述の図３の実線ａ、破線ｂに示すＨＤＲ光電変換特性のように、ＳＤＲ光電変換特性との互換領域を含んだものとすることができる。すなわち、入力輝度レベルが両特性の互換限界値までは、両特性の曲線は一致している。入力輝度レベルが互換限界値であるとき、伝送符号値は互換レベルＳＰとなる。ＨＤＲ光電変換特性において、入力輝度レベルがピーク輝度ＰＬであるとき、伝送符号値はピークレベルＭＰとなる。
【００３５】
ＨＤＲ表示基準閾値ＣＬは、受信機側のモニタ（ＣＥモニタ）で表示する輝度として一致させる領域と、ＣＥモニタ依存とする領域との境界を示す。入力輝度レベルがＨＤＲ表示基準閾値ＣＬであるとき、例えば、図３の実線ａのＨＤＲ ＯＥＴＦカーブにおいて、伝送符号値は閾値レベルＣＰとなる。なお、ＳＤＲ光電変換特性において、入力輝度レベルがＳＤＲ特性表現限界輝度ＳＬであるとき、伝送符号値はピークレベルＭＰとなる。ここで、ＳＬは１００ｃｄ/ｍ２である。なお、ＨＤＲ表示基準閾値ＣＬは互換限界値と一致するようにすることもでき、その場合閾値レベルＣＰを互換レベルＳＰで代用することも可能である。
【００３６】
図２に戻って、ビデオエンコーダ１０４は、伝送ビデオデータＶ１に対して、例えば、ＭＰＥＧ４−ＡＶＣあるいはＨＥＶＣなどの符号化を施して、符号化ビデオデータを得る。また、このビデオエンコーダ１０４は、後段に備えるストリームフォーマッタ（図示せず）により、この符号化ビデオデータを含むビデオストリーム（ビデオエレメンタリストリーム）を生成する。
【００３７】
この際、ビデオエンコーダ１０４は、ビデオストリームのパラメータセット領域に、ＨＤＲ光電変換特性に対応したＨＤＲ電光変換特性を示すメタ情報を挿入する。この実施の形態において、ビデオエンコーダ１０４は、アクセスユニット（ＡＵ）のＳＰＳ ＮＡＬユニットのＶＵＩ（video usability information）の領域に、メタ情報「Transfer characteristics」を挿入する。
【００３８】
このメタ情報「Transfer characteristics」は、ＨＤＲ電光変換特性を指定する。すなわち、この「Transfer characteristics」は、ＨＤＲ電光変換特性のタイプ“New Type”を示す。この場合、直接的あるいは間接的に、リファレンスレベル「reference level」や閾値レベル「threshold level」を指定することが可能である。ここで、リファレンスレベル「reference level」は、例えば白の輝度値１００cd/m2に相当する１００％とされる。また、閾値レベル「threshold level」は、受信機側のモニタ（ＣＥモニタ）で表示する輝度として一致させる領域と、ＣＥモニタ依存とする領域との境界を示す。
【００３９】
直接的である場合には、図４（ａ）に示すように、ＶＵＩの識別値に、「reference level」、「threshold level」が定義されるものである。この場合、ＶＵＩのセマンティクス規定において各要素が記載されて参照されることを示す。なお、必ずしも「reference level」と「threshold level」とが別に規定されることはなく、「Reference level」＝「Threshold level」で、どちらか一つのレベルが規定されることも可能である。
【００４０】
間接的である場合には、図４（ｂ）に示すように、ＶＵＩの識別値に、「reference level」、「threshold level」が定義されないものである。この場合、ＶＵＩのセマンティクス規定において各要素は記載されない。この場合、ＶＵＩで指定される「Transfer characteristics 」を定義する規格において、“New Type”の特性として、
Reference level = Lr             ( Lx > Lr > Lc )
Threshold level = Lt             ( Ly > Lt > Lr )
が規定されていることを示す。なお、必ずしも「reference level」と「threshold level」とが別に規定されることはなく、「Reference level」＝「Threshold level」で、どちらか一つのレベルが規定されることも可能である。
【００４１】
また、ビデオエンコーダ１０４は、ビデオストリームのパラメータセット領域とは別の領域に、表示制御のためのメタ情報を挿入する。この実施の形態において、ビデオエンコーダ１０４は、アクセスユニット（ＡＵ）の“ＳＥＩｓ”の部分に、新規定義する、ダイナミックレンジ・ＳＥＩメッセージ（Dynamic Range SEI message）を挿入する。
【００４２】
図５は、符号化方式がＨＥＶＣである場合におけるＧＯＰ（Group Of Pictures）の先頭のアクセスユニットを示している。また、図６は、符号化方式がＨＥＶＣである場合におけるＧＯＰの先頭以外のアクセスユニットを示している。ＨＥＶＣの符号化方式の場合、画素データが符号化されているスライス（slices）の前にデコード用のＳＥＩメッセージ群「Prefix_SEIs」が配置され、このスライス（slices）の後に表示用のＳＥＩメッセージ群「Suffix_SEIs」が配置される。図５、図６に示すように、ダイナミックレンジ・ＳＥＩメッセージは、ＳＥＩメッセージ群「Suffix_SEIs」として配置されるようにしてもよい。
【００４３】
図７は、ダイナミックレンジ・ＳＥＩメッセージの構造例(Syntax)を示している。図８は、その構造例における主要な情報の内容（Semantics）を示している。「transfer_characteristics」の８ビットフィールドは、ＨＤＲ電光変換特性を指定する。すなわち、このフィールドはＨＤＲ電光変換特性のタイプ“New Type”を示す。
【００４４】
「number_of_bits」の８ビットフィールドは、符号化画素ビット数を示す。「minimum_brightness_value」の１６ビットフィールドは、最小レベルの輝度（ｃｄ/ｍ２）を示す。「peak_level」の１６ビットフィールドは、最大レベルの相対値（％）を示す。「peak_level_brightness」の１６ビットフィールドは、最大レベルの輝度（ｃｄ/ｍ２）を示し、図３におけるピーク輝度ＰＬに対応する。
【００４５】
「compliant_threshold_level」の１６ビットフィールドは、表示レベルマッピングの際の閾値（％）を示す。「compliant_threshold_level_value」の１６ビットフィールドは、表示レベルマッピングの際の閾値となる輝度（ｃｄ/ｍ２）を示し、図３におけるＨＤＲ表示基準閾値ＣＬに対応する。なお、「Compliant_threshold_level」、「Compliant_threshold_level_value」の閾値情報は、リファレンスの輝度を示す１００％とリファレンスの輝度として送られることも可能である。「mapping_protection_flag」のフラグは、デコード後の表示マッピング（表示輝度調整）を禁止するか否かを示す。“１”は、表示マッピングを禁止することを示す。“０”は、表示マッピングを禁止しないことを示す。
【００４６】
図２に戻って、システムエンコーダ１０５は、ビデオエンコーダ１０４で生成されたビデオストリームＶＳを含むトランスポートストリームＴＳを生成する。そして、送信部１０６は、このトランスポートストリームＴＳを、放送波あるいはネットのパケットに載せて、受信装置２００に送信する。
【００４７】
この際、システムエンコーダ１０５は、トランスポートストリーム（コンテナ）のレイヤに、ビデオストリームがハイダイナミックレンジに対応していることを示す識別情報を挿入する。この実施の形態において、システムエンコーダ１０５は、プログラム・マップ・テーブル（ＰＭＴ：Program Map Table）の配下、あるいはイベント・インフォメーション・テーブル（ＥＩＴ：Event Information Table）の配下に、ハイダイナミックレンジ・デスクリプタ（High Dynamic Range descriptor）を挿入する。
【００４８】
図９は、ハイダイナミックレンジ・デスクリプタの構造例(Syntax)を示している。図１０は、その構造例における主要な情報の内容（Semantics）を示している。「descriptor_tag」の８ビットフィールドは、デスクリプタタイプを示し、ここでは、ハイダイナミックレンジ・デスクリプタであることを示す。「descriptor_length」の８ビットフィールドは、デスクリプタの長さ（サイズ）を示し、デスクリプタの長さとして以降のバイト数を示す。
【００４９】
「HDR_flag」のフラグは、サービスストリーム（ビデオストリーム）がＨＤＲに対応するものかどうかを示す。“１”は、ビデオストリームはＨＤＲ対応であり、ＶＵＩがＨＤＲ特性をもつか、あるいはＶＵＩは従来通りでＳＥＩがＨＤＲ情報を示すか、あるいはＶＵＩがＨＤＲ特性でＳＥＩもＨＤＲ情報をもつか、のいずれかであることを示す。 “０”は、ビデオストリームはＨＤＲに対応しないことを示す。
【００５０】
「SDR_compatible_flag」のフラグは、サービスストリーム（ビデオストリーム）がＨＤＲに対応する場合に、ＳＤＲとの表示互換性があるかどうかを示す。“１”は、ＳＤＲとの表示互換性があることを示す。“０”は、ＳＤＲとの表示互換性がないことを示す。「ｍapping_protection flag」のフラグは、サービスストリーム（ビデオストリーム）が表示マッピング（表示輝度調整）を禁止するかどうかを示す。“１”は、表示マッピングを禁止することを示す。“０”は、表示マッピングを禁止しないことを示す。
【００５１】
図２に示す送信装置１００の動作を簡単に説明する。ＨＤＲカメラ１０２で撮像されて得られたＨＤＲビデオデータは、ＨＤＲ光電変換部１０３に供給される。ＨＤＲカメラ１０２で得られるＨＤＲビデオデータは、マスターモニタ１０３ａを用いてグレーディングされる。このＨＤＲ光電変換部１０３では、このＨＤＲビデオデータに対してＨＤＲ光電変換特性（ＨＤＲ ＯＥＴＦカーブ）が適用されて光電変換が行われ、伝送ビデオデータＶ１が得られる。この伝送ビデオデータＶ１は、ビデオエンコーダ１０４に供給される。
【００５２】
ビデオエンコーダ１０４では、伝送ビデオデータＶ１に対して、例えば、ＭＰＥＧ４−ＡＶＣあるいはＨＥＶＣなどの符号化が施されて、符号化ビデオデータが得られる。また、このビデオエンコーダ１０４では、後段に備えるストリームフォーマッタにより、この符号化ビデオデータを含むビデオストリームが生成される。
【００５３】
この際、ビデオエンコーダ１０４では、ビデオストリームのレイヤに、ＨＤＲ光電変換特性に対応したＨＤＲ電光変換特性を示すメタ情報が挿入される。すなわち、ビデオエンコーダ１０４では、アクセスユニット（ＡＵ）のＳＰＳ ＮＡＬユニットのＶＵＩ（video usability information）の領域に、メタ情報「Transfer characteristics」が挿入される。
【００５４】
また、ビデオエンコーダ１０４では、ビデオストリームのレイヤに、表示制御のためのメタ情報が挿入される。すなわち、ビデオエンコーダ１０４では、アクセスユニット（ＡＵ）の“ＳＥＩｓ”の部分に、新規定義する、ハイダイナミックレンジ・ＳＥＩメッセージが挿入される。
【００５５】
ビデオエンコーダ１０４で生成されたビデオストリームＶＳは、システムエンコーダ１０５に供給される。このシステムエンコーダ１０５では、ビデオストリームを含むＭＰＥＧ２のトランスポートストリームＴＳが生成される。このトランスポートストリームＴＳは、送信部１０６により、放送波あるいはネットのパケットに載せて、受信装置２００に送信される。
【００５６】
この際、システムエンコーダ１０５では、トランスポートストリーム（コンテナ）のレイヤに、ビデオストリームがハイダイナミックレンジに対応していることを示す識別情報が挿入される。すなわち、システムエンコーダ１０５では、プログラム・マップ・テーブル（ＰＭＴ：Program Map Table）の配下、あるいはイベント・インフォメーション・テーブル（ＥＩＴ：Event Information Table）の配下に、ハイダイナミックレンジ・デスクリプタ（High Dynamic Range descriptor）が挿入される。
【００５７】
[トランスポートストリームＴＳの構成]
図１１は、トランスポートストリームＴＳの構成例を示している。この構成例では、ＰＩＤ１で識別されるビデオストリームのＰＥＳパケット「video PES1」が存在する。アクセスユニットのＳＰＳのＶＵＩの領域に、ＨＤＲ電光変換特性を指定するメタ情報「Transfer characteristics」が挿入される。また、アクセスユニットに、ピークレベル「Peak level」、閾値レベル「threshold level」、マッピング・プロテクション・フラグ「mapping_protection_flag」などが記述されたダイナミックレンジ・ＳＥＩメッセージが挿入される。
【００５８】
また、トランスポートストリームＴＳには、ＰＳＩ（Program Specific Information）として、ＰＭＴ（Program Map Table）が含まれている。ＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。
【００５９】
ＰＭＴには、各エレメンタリストリームに関連した情報を持つエレメンタリストリーム・ループが存在する。この構成例では、ビデオストリームに対応したビデオエレメンタリストリーム・ループ（video ES loop）が存在する。ビデオエレメンタリストリーム・ループ（video ES loop）には、ビデオストリームに対応して、ストリームタイプ、ＰＩＤ（パケット識別子）等の情報が配置されると共に、そのビデオストリームに関連する情報を記述するデスクリプタも配置される。
【００６０】
このビデオストリームの「Stream_type」の値は、例えばＨＥＶＣビデオストリームを示す値に設定され、ＰＩＤ情報はビデオストリームのＰＥＳパケット「video PES」に付与されるＰＩＤ１を示すものとされる。デスクリプタの一つとして、ＨＤＲフラグ「HDR_flag」、ＳＤＲコンパチブルフラグ「SDR_compatible_flag」、マッピング・プロテクション・フラグ「mapping_protection_flag」などが記述されたハイダイナミックレンジ・デスクリプタが挿入される。
【００６１】
また、トランスポートストリームＴＳには、イベント（番組）単位の管理を行うＳＩ（Service Information）としてのＥＩＴ(Event Information Table)が含まれている。このＥＩＴの配下に、ハイダイナミックレンジ・デスクリプタを挿入することも考えられる。
【００６２】
「受信装置の構成例」
図１２は、受信装置２００の構成例を示している。この受信装置２００は、制御部２０１と、受信部２０２と、システムデコーダ２０３と、ビデオデコーダ２０４と、ＨＤＲ電光変換部２０５と、ＨＤＲ表示マッピング部２０６と、ＣＥモニタ２０７を有している。制御部２０１は、ＣＰＵ（Central Processing Unit）を備えて構成され、制御プログラムに基づいて、受信装置２００の各部の動作を制御する。
【００６３】
受信部２０２は、送信装置１００から放送波あるいはネットのパケットに載せて送られてくるトランスポートストリームＴＳを受信する。システムデコーダ２０３は、このトランスポートストリームＴＳからビデオストリーム（エレメンタリストリーム）ＶＳを抽出する。また、システムデコーダ２０３は、コンテナ（トランスポートストリーム）のレイヤに挿入されている種々の情報を抽出し、制御部２０１に送る。
【００６４】
この実施の形態においては、この抽出情報に、ハイダイナミックレンジ・デスクリプタ（図９参照）の情報も含まれる。制御部２０１は、ハイダイナミックレンジ・デスクリプタの「HDR flag」が“１”であることから、ビデオストリームがＨＤＲに対応することを認識し、また、ＨＤＲ表示の際にＳＥＩ（ダイナミックレンジ・ＳＥＩ）を参照すべきことを認識する。
【００６５】
ビデオデコーダ２０４は、システムデコーダ２０３で抽出されるビデオストリームＶＳに対して復号化処理を行って、伝送ビデオデータＶ１を出力する。また、ビデオデコーダ２０４は、ビデオストリームＶＳを構成する各アクセスユニットに挿入されているパラメータセットやＳＥＩメッセージを抽出し、制御部２０１に送る。
【００６６】
この実施の形態においては、制御部２０１が上述したように、ビデオストリームがＨＤＲに対応することを認識し、また、ＨＤＲ表示の際にＳＥＩを参照すべきことを認識することから、ＳＰＳ ＮＡＬユニットのＶＵＩの領域に挿入されているＨＤＲ電光変換特性を指定するメタ情報「Transfer characteristics」やダイナミックレンジ・ＳＥＩメッセージ（図７参照）も確実に抽出される。
【００６７】
制御部２０１は、ＨＤＲ電光変換部２０５に、メタ情報「Transfer characteristics」が指定するＨＤＲ電光変換特性、つまり送信側で用いられたＨＤＲ光電変換特性に対応したＨＤＲ電光変換特性を設定する。ＨＤＲ電光変換部２０５は、ビデオデコーダ２０４から出力される伝送ビデオデータＶ１に、設定されたＨＤＲ電光変換特性を適用して、ＨＤＲ画像を表示するための表示用ビデオデータを得る。
【００６８】
図１３の実線ａは、ＨＤＲ電光変換特性を示すＨＤＲ ＥＯＴＦカーブ（Type A）である。このＨＤＲ ＥＯＴＦカーブ（Type A）は、図３の実線ａに示すＨＤＲ ＯＥＴＦカーブに対応している。また、図１３の破線ｂは、他のＨＤＲ電光変換特性を示すＨＤＲ ＥＯＴＦカーブ（Type B）である。このＨＤＲ ＥＯＴＦカーブ（Type B）は、図３の破線ｂに示すＨＤＲ ＯＥＴＦカーブに対応している。なお、図１３の破線ｃは、図３の破線ｃに示すＳＤＲ ＯＥＴＦカーブに対応したＳＤＲ ＥＯＴＦカーブ（Type C）を示している。
【００６９】
ＨＤＲ電光変換特性において、伝送符号値がピークレベルＭＰであるとき、表示輝度レベルはＰＬとなる。また、伝送符号値が閾値レベルＣＰであるとき、出力輝度レベルはＨＤＲ表示基準閾値ＣＬとなる。なお、図１３において、ＨＤＲ ＥＯＴＦカーブ（Type A）の場合は閾値レベルＣＰとＨＤＲ表示基準閾値ＣＬが示され、マッピング保護がなされていなければ、表示側で表示輝度レベルＥＰまで二点鎖線ａ´のような輝度マッピングを行い、また、ＨＤＲ ＥＯＴＦカーブ（Type B）の場合は互換レベルＳＰとそれに対して定義されるリファレンスレベルが検知され、マッピング保護がなされていなければ、表示側で表示輝度レベルＥＰまで一点鎖線ｂ´のような輝度マッピングを行う。なお、閾値ＣＬは、上述したように、受信機側のモニタ（ＣＥモニタ）で表示する輝度として一致させる領域とＣＥモニタ依存とする領域との境界を示す。
【００７０】
ビデオストリームのレイヤに挿入されるダイナミックレンジ・ＳＥＩメッセージには、ＰＬ、ＣＬの輝度情報が、表示制御のためのメタ情報として含まれている（図７参照）。ＨＤＲ表示マッピング部２０６は、ＨＤＲ電光変換部２０５で得られた表示用ビデオデータに対して、表示制御のためのメタ情報に基づいて、表示輝度調整を行う。すなわち、ＨＤＲ表示マッピング部２０６は、ＣＥモニタ２０７の最大輝度表示能力がＰＬよりも高いＥＰである場合、ＨＤＲ電光変換部２０５の出力輝度レベルのうち、輝度ＣＬを越えるレベルを、表示最大輝度レベルがＥＰとなるように表示マッピング処理、つまり表示輝度調整処理を行うことも表示機能の一方法として可能となる。図１３の二点鎖線ａ´は、その場合における表示輝度調整処理の一例を示している。
【００７１】
なお、ＨＤＲ表示マッピング部２０６は、ハイダイナミックレンジ・デスクリプタやダイナミックレンジ・ＳＥＩメッセージの「mapping_protection_flag」が“１”であって、表示マッピングを禁止することが示されているときは、制御部２０１の制御に基づき、表示輝度調整処理を行わない。これにより、表示輝度に関して制作側の意図を超える調整が抑制され、あるいは、視聴者の眼の疲労が抑制される。
【００７２】
図１２に示す受信装置２００の動作を簡単に説明する。受信部２０２では、送信装置１００から放送波あるいはネットのパケットに載せて送られてくるトランスポートストリームＴＳが受信される。このトランスポートストリームＴＳは、システムデコーダ２０３に供給される。システムデコーダ２０３では、このトランスポートストリームＴＳからビデオストリームＶＳが抽出される。
【００７３】
また、システムデコーダ２０３では、コンテナのレイヤに挿入されている種々の情報が抽出され、制御部２０１に送られる。この抽出情報には、ハイダイナミックレンジ・デスクリプタ（図９参照）の情報も含まれる。制御部２０１では、ハイダイナミックレンジ・デスクリプタの「HDR flag」が“１”であることに基づいて、ビデオストリームがＨＤＲに対応することが認識され、また、ＨＤＲ表示の際にＳＥＩを参照すべきことが認識される。
【００７４】
システムデコーダ２０３で抽出されたビデオストリームＶＳは、ビデオデコーダ２０４に供給される。ビデオデコーダ２０４では、システムデコーダ２０３で抽出されるビデオストリームＶＳに対して復号化処理が施され、伝送ビデオデータＶ１が得られる。
【００７５】
また、ビデオデコーダ２０４では、ビデオストリームＶＳを構成する各アクセスユニットに挿入されているパラメータセットやＳＥＩメッセージが抽出され、制御部２０１に送られる。制御部２０１において、上述したように、ビデオストリームがＨＤＲに対応することが認識され、また、ＨＤＲ表示の際にＳＥＩを参照すべきことが認識されることから、ＳＰＳ ＮＡＬユニットのＶＵＩの領域に挿入されているＨＤＲ電光変換特性を指定するメタ情報「Transfer characteristics」やダイナミックレンジ・ＳＥＩメッセージ（図７参照）の抽出も行われる。
【００７６】
制御部２０１の制御で、ＨＤＲ電光変換部２０５に、メタ情報「Transfer characteristics」が指定するＨＤＲ電光変換特性、つまり送信側で用いられたＨＤＲ光電変換特性に対応したＨＤＲ電光変換特性が設定される。ＨＤＲ電光変換部２０５では、ビデオデコーダ２０４から出力される伝送ビデオデータＶ１に、設定されたＨＤＲ電光変換特性が適用されて、ＨＤＲ画像を表示するための表示用ビデオデータが得られる。
【００７７】
ＨＤＲ電光変換部２０５で得られた表示用ビデオデータは、ＨＤＲ表示マッピング部２０６に供給される。ＨＤＲ表示マッピング部２０６では、表示用ビデオデータに対して、表示制御のためのメタ情報に基づいて、表示輝度調整が行われる。すなわち、ＨＤＲ表示マッピング部２０６では、ＣＥモニタ２０７の最大輝度表示能力がＰＬよりも高いＥＰである場合、ＨＤＲ電光変換部２０５の出力輝度レベルのうち、輝度ＣＬを越えるレベルが、表示最大輝度レベルがＥＰとなるように表示マッピング処理、つまり輝度変換処理が行われる（図１３の二点鎖線ａ´参照）。あるいは、リファレンス輝度レベルを越えるレベルに対して、表示最大輝度レベルがＥＰとなるように表示マッピング処理、つまり輝度変換処理が行われる（図１３の一点鎖線ｂ´参照）。
【００７８】
なお、ＨＤＲ表示マッピング部２０６では、ハイダイナミックレンジ・デスクリプタやダイナミックレンジ・ＳＥＩメッセージの「mapping_protection_flag」が“１”であって、表示マッピングを禁止することが示されているときには、表示輝度調整処理を行われず、ＨＤＲ電光変換部２０５で得られた表示用ビデオデータがそのまま出力される。
【００７９】
表示マッピング部２０６の出力ビデオデータは、ＣＥモニタ２０７に供給される。このＣＥモニタ２０７に、ＨＤＲ画像が表示される。
【００８０】
上述したように、図１に示す送受信システム１０において、ビデオストリームのＳＰＳ ＮＡＬユニットのＶＵＩの領域にハイダイナミックレンジ光電変換特性に対応した電光変換特性を指定するメタ情報「Transfer characteristics」が挿入されるものである。そのため、ＨＤＲ光電変換特性を用いて得られた伝送ビデオデータに対する受信側の電光変換処理を、メタ情報「Transfer characteristics」が指定するＨＤＲ電光変換特性を用いて行うことで、良好に行うことができる。
【００８１】
また、図１に示す送受信システム１０において、コンテナ（トランスポートストリーム）のレイヤに、ハイダイナミックレンジ・デスクリプタ（High Dynamic Range descriptor）が挿入されるものである。このデスクリプタには、サービスストリーム（ビデオストリーム）がＨＤＲに対応するものかどうかを示す「HDR_flag」が含まれている。そのため、受信側ではビデオストリームがハイダイナミックレンジに対応していることを容易に認識でき、ビデオストリームのパラメータセット領域からハイダイナミックレンジ光電変換特性に対応した電光変換特性を示すメタ情報「Transfer characteristics」を確実に抽出して、伝送ビデオデータに適切な電光変換を行うことが可能となる。
【００８２】
また、図１に示す送受信システム１０において、ビデオストリームのレイヤにダイナミックレンジ・ＳＥＩメッセージ（Dynamic Range SEI message）が挿入されるものである。このＳＥＩメッセージには、表示制御のためのメタ情報が含まれている。そのため、受信側において、この表示制御のためのメタ情報を用いて表示輝度制御を適切に行うことができる。この場合、表示制御のためのメタ情報には表示輝度調整を許容する領域を示す領域情報が含まれ、輝度変換を許容する領域でのみ、例えばＣＥモニタ２０７の表示輝度能力に応じた輝度変換が行われるため、制作側が意図する輝度雰囲気を良好に再現することが可能となる。
【００８３】
また、図１に示す送受信システム１０において、ハイダイナミックレンジ・デスクリプタやダイナミックレンジ・ＳＥＩメッセージに、サービスストリーム（ビデオストリーム）が表示マッピング（表示輝度調整）を禁止するかどうかを示す「ｍapping_protection flag」のフラグが含まれるものである。そのため、表示輝度に関して制作側の意図を超える調整を抑制でき、あるいは、視聴者の眼の疲労を抑制できる。
【００８４】
＜２．変形例＞
なお、上述実施の形態において、受信装置２００では、ＨＤＲ電光変換部２０５で電光変換処理を行うと共に、ＨＤＲ表示マッピング部２０６でＣＥモニタ２０７の最大輝度表示能力に応じた輝度変換処理を行う例を示した。しかし、電光変換特性（ＥＯＴＦ）に輝度変換特性を反映させておくことで、ＨＤＲ電光変換部２０５のみで電光変換処理と輝度変換処理とを同時に行わせることが可能である。
【００８５】
また、上述実施の形態においては、送信装置１００および受信装置２００により構成される送受信システム１０を示したが、本技術を適用し得る送受信システムの構成は、これに限定されるものではない。例えば、図１４に示す送受信システム１０Ａのように、受信装置２００の部分が、例えば、（ＨＤＭＩ（High-Definition Multimedia Interface）などのデジタルインタフェースで接続されたセットトップボックス（ＳＴＢ）２００Ａおよびモニタ２００Ｂからなる構成であってもよい。なお、「ＨＤＭＩ」は、登録商標である。
【００８６】
この場合、例えば、ビデオデコーダ２０４までがセットトップボックス２００Ａに含まれ、電光変換部２０５以降がモニタ２００Ｂに含まれる。セットトップボックス２００Ａは、例えば、“Vender Specific InfoFrame”のパケットを用いて、ＨＤＲ光電変換特性を示すメタ情報や表示制御のためのメタ情報などをモニタ２００Ｂに送る。
【００８７】
図１５は、セットトップボックス２００Ａからモニタ２００Ｂに送る“Vender Specific InfoFrame”のパケットの第７バイト以降の構造例を示している。また、図１６は、各構造例における主要な情報の内容を示している。
【００８８】
第７バイトの第７ビットから第５ビットには、「Display_control_type」の３ビット情報が配置される。この３ビット情報は、表示タイプの種類を示す。“００１”はＳＤ表示制御を示し、“０１０”はＨＤＲ表示制御を示す。ここでは、“０１０”とされる。
【００８９】
第７バイトの第４ビットには、「mapping_protection_flag」のフラグが配置される。このフラグは、デコード後の表示マッピング（表示輝度調整）を禁止するか否かを示す。“１”は、表示マッピングを禁止することを示す。“０”は、表示マッピングを禁止しないことを示す。第７バイトの第３ビットから第０ビットには、「Display_control_metadata_length」の４ビット情報が配置される。この４ビット情報は、続いて配置される「Display_control_metadata」のサイズをバイト数で示す。ここでは、“１２”とされる。
【００９０】
第８バイトには、「Transfer characteristics」の８ビット情報が配置される。この８ビット情報は、ＨＤＲ電光変換特性を指定する。この情報により、表示のための電光変換特性が検知される。ここでは、“０ｘ１０”とされる。第８＋１バイトには、「Number of bits」の８ビット情報が配置される。この８ビット情報は、符号化画素ビット数を示す。
【００９１】
第８＋２バイトから第８＋３バイトには、「Minimum brightness value」の１６ビット情報が配置される。この１６ビット情報は、最小レベルの輝度（ｃｄ/ｍ２）を示す。第８＋４バイトから第８＋５バイトには、「Peak Level」の１６ビット情報が配置される。この１６ビット情報は、最大レベルの相対値（％）を示す。
【００９２】
第８＋６バイトから第８＋７バイトには、「Peak Level Brightness」の１６ビット情報が配置される。この１６ビット情報は、最大レベルの輝度（ｃｄ/ｍ２）を示す。第８＋８バイトから第８＋９バイトには、「Compliant_threshold_level」の１６ビット情報が配置される。この１６ビット情報は、表示レベルマッピングの際の閾値（％）を示す。第８＋１０バイトから第８＋１１バイトには、「Compliant_threshold_level_value」の１６ビット情報が配置される。この１６ビット情報は、表示レベルマッピングの際の閾値となる輝度（ｃｄ/ｍ２）を示す。なお、「Compliant_threshold_level」、「Compliant_threshold_level_value」の閾値情報は、リファレンスの輝度を示す１００％とリファレンスの輝度として送られることも可能である。また、セットトップボックス２００Ａからモニタ２００Ｂに送る上記の情報伝送は “Vender Specific InfoFrame”のパケットに限定されるものではなく、他のInfoFrameのパケットを定義することで同様の伝送を行うことが可能なことは勿論である。
【００９３】
また、上述実施の形態においては、コンテナがトランスポートストリーム（ＭＰＥＧ−２  ＴＳ）である例を示した。しかし、本技術は、トランスポートがＴＳと限定されるものではなく、他のパケット、例えばＩＳＯＢＭＦＦやＭＭＴなどの場合でも、ビデオのレイヤは同一の方法で実現できる。
【００９４】
図１７は、ＭＭＴ構造を示している。ＭＭＴストリームには、ビデオ、オーディオ等の各アセットのＭＭＴパケットが存在する。図示の例では、ＩＤ１で識別されるビデオのアセットのＭＭＴパケットが存在する。アクセスユニットのＳＰＳのＶＵＩの領域に、ＨＤＲ電光変換特性を指定するメタ情報「Transfer characteristics」が挿入される。また、アクセスユニットに、ピークレベル「Peak level」、閾値レベル「threshold level」、マッピング・プロテクション・フラグ「mapping_protection_flag」などが記述されたダイナミックレンジ・ＳＥＩメッセージが挿入される。
【００９５】
また、ＭＭＴストリームには、ＰＡ（Packet Access）メッセージパケットなどのメッセージパケットが存在する。ＰＡメッセージパケットには、ＭＰテーブル（MMT Package Table）などのテーブルが含まれている。ＭＰテーブルには、アセット毎の情報が含まれている。ここでは、ビデオのアセットに関連して、ＨＤＲフラグ「HDR_flag」、ＳＤＲコンパチブルフラグ「SDR_compatible_flag」、マッピング・プロテクション・フラグ「mapping_protection_flag」などが記述されたハイダイナミックレンジ・デスクリプタが挿入される。
【００９６】
また、本技術は、以下のような構成を取ることもできる。
（１）ハイダイナミックレンジビデオデータにハイダイナミックレンジ光電変換を行って伝送ビデオデータを得る光電変換部と、
上記伝送ビデオデータにエンコード処理を施してビデオストリームを得るエンコード部と、
上記ビデオストリームを含む所定フォーマットのコンテナを送信する送信部と、
上記ビデオストリームのパラメータセット領域に上記ハイダイナミックレンジ光電変換特性に対応した電光変換特性を示すメタ情報を挿入する情報挿入部を備える
送信装置。
（２）上記パラメータセット領域は、ＳＰＳ  ＮＡＬユニットの領域である
前記（１）に記載の送信装置。
（３）上記情報挿入部は、上記コンテナのレイヤに、上記ビデオストリームがハイダイナミックレンジに対応していることを示す識別情報をさらに挿入する
前記（１）または（２）に記載の送信装置。
（４）上記識別情報には、上記ビデオストリームが通常ダイナミックレンジとの表示互換性があるか否を示す情報が付加される
前記（３）に記載の送信装置。
（５）上記識別情報には、上記ビデオストリームの表示輝度調整が禁止されるか否かを示す情報が付加される
前記（３）または（４）に記載の送信装置。
（６）上記コンテナは、トランスポートストリームであり、
上記情報挿入部は、上記識別情報を、プログラム・マップ・テーブル、あるいはイベント・インフォメーション・テーブルの配下に挿入する
前記（３）から（５）のいずれかに記載の送信装置。
（７）上記コンテナは、ＭＭＴストリームであり、
上記情報挿入部は、上記識別情報を、ＭＭＴ・パッケージ・テーブルの配下に挿入する
前記（３）から（５）のいずれかに記載の送信装置。
（８）上記情報挿入部は、上記ビデオストリームの上記パラメータセット領域とは異なる領域に、表示制御のためのメタ情報をさらに挿入する
前記（１）から（７）のいずれかに記載の送信装置。
（９）上記表示制御のためのメタ情報は、ピーク輝度情報を含む
前記（８）に記載の送信装置。
（１０）上記表示制御のためのメタ情報は、表示輝度調整を許容する領域を示す領域情報を含む
前記（８）または（９）に記載の送信装置。
（１１）上記表示制御のためのメタ情報は、上記ビデオストリームの表示輝度調整が禁止されるか否かを示す情報を含む
前記（８）から（１０）のいずれかに記載の送信装置。
（１２）上記異なる領域は、ＳＥＩ  ＮＡＬユニットの領域である
前記（８）から（１１）のいずれかに記載の送信装置。
（１３）ハイダイナミックレンジビデオデータにハイダイナミックレンジ光電変換を行って伝送ビデオデータを得る光電変換ステップと、
上記伝送ビデオデータにエンコード処理を施してビデオストリームを得るエンコードステップと、
送信部により、上記ビデオストリームを含む所定フォーマットのコンテナを送信する送信ステップと、
上記ビデオストリームのパラメータセット領域に上記ハイダイナミックレンジ光電変換特性に対応した電光変換特性を示すメタ情報を挿入する情報挿入ステップを有する
送信方法。
（１４）伝送ビデオデータが符号化されて得られたビデオストリームを含む所定フォーマットのコンテナを受信する受信部と、
上記ビデオストリームにデコード処理を施して上記伝送ビデオデータを得るデコード部と、
上記デコード部で得られた上記伝送ビデオデータに電光変換を行って表示用ビデオデータを得る電光変換部を備え、
上記伝送ビデオデータは、ハイダイナミックレンジデータにハイダイナミックレンジ光電変換が施されて得られたものであり、
上記ビデオストリームのパラメータセット領域に上記ハイダイナミックレンジ光電変換の特性に対応した電光変換特性を示すメタ情報が挿入されており、
上記ビデオストリームから上記メタ情報を抽出する情報抽出部をさらに備え、
上記電光変換部は、上記情報抽出部で抽出された上記メタ情報が示す電光変換特性を用いる
受信装置。
（１５）上記パラメータセット領域は、ＳＰＳ  ＮＡＬユニットの領域である
前記（１４）に記載の受信装置。
（１６）上記コンテナのレイヤに、上記ビデオストリームがハイダイナミックレンジに対応していることを示す識別情報が挿入されており、
上記情報抽出部は、上記識別情報に基づいて上記ビデオストリームのパラメータセット領域から上記メタ情報を抽出する
前記（１４）または（１５）に記載の受信装置。
（１７）上記ビデオストリームの上記パラメータセット領域とは異なる領域に表示制御のためのメタ情報が含まれており、
上記表示制御のためのメタ情報に基づいて上記表示用ビデオデータに表示輝度調整を行う輝度調整部をさらに備える
前記（１４）から（１６）のいずれかに記載の受信装置。
（１８）上記表示制御のためのメタ情報は表示輝度調整を許容する領域を示す領域情報を含み、
上記輝度調整部は、上記表示輝度調整を許容する領域で上記表示輝度調整を行う
前記（１７）に記載の受信装置。
（１９）上記コンテナのレイヤおよび/または上記ビデオストリームのレイヤに、上記ビデオストリームの表示輝度調整が禁止されるか否かを示す情報が挿入されており、
上記輝度調整部は、上記ビデオストリームの表示輝度調整が禁止されるか否かを示す情報が禁止されることを示すとき、上記表示用ビデオデータに表示輝度調整を行わない
前記（１７）または（１８）に記載の受信装置。
（２０）受信部により、伝送ビデオデータが符号化されて得られたビデオストリームを含む所定フォーマットのコンテナを受信する受信ステップと、
上記ビデオストリームにデコード処理を施して上記伝送ビデオデータを得るデコードステップと、
上記デコードステップで得られた上記伝送ビデオデータに電光変換を行って表示用ビデオデータを得る電光変換ステップを有し、
上記伝送ビデオデータは、ハイダイナミックレンジデータにハイダイナミックレンジ光電変換が施されて得られたものであり、
上記ビデオストリームのパラメータセット領域に上記ハイダイナミックレンジ光電変換の特性に対応した電光変換特性を示すメタ情報が挿入されており、
上記電光変換ステップでは上記メタ情報が示す電光変換特性を用いる
受信方法。
【００９７】
本技術の主な特徴は、ビデオストリームのＳＰＳ ＮＡＬユニットにハイダイナミックレンジ光電変換特性に対応した電光変換特性を指定するメタ情報を挿入することで、ハイダイナミックレンジ光電変換特性を用いて得られた伝送ビデオデータに対する受信側の電光変換処理を良好に行い得るようにしたことである（図１１参照）。
【符号の説明】
【００９８】
１０，１０Ａ・・・送受信システム
１００・・・送信装置
１０１・・・制御部
１０２・・・ＨＤＲカメラ
１０３・・・ＨＤＲ光電変換部
１０３ａ・・・マスターモニタ
１０４・・・ビデオエンコーダ
１０５・・・システムエンコーダ
１０６・・・送信部
２００・・・受信装置
２００Ａ・・・セットトップボックス
２００Ｂ・・・モニタ
２０１・・・制御部
２０２・・・受信部
２０３・・・システムデコーダ
２０４・・・ビデオデコーダ
２０５・・・ＨＤＲ電光変換部
２０６・・・ＨＤＲ表示マッピング部
２０７・・・ＣＥモニタ
【図１】
2016108268.tif 000003
【図２】
2016108268.tif 000004
【図３】
2016108268.tif 000005
【図４】
2016108268.tif 000006
【図５】
2016108268.tif 000007
【図６】
2016108268.tif 000008
【図７】
2016108268.tif 000009
【図８】
2016108268.tif 000010
【図９】
2016108268.tif 000011
【図１０】
2016108268.tif 000012
【図１１】
2016108268.tif 000013
【図１２】
2016108268.tif 000014
【図１３】
2016108268.tif 000015
【図１４】
2016108268.tif 000016
【図１５】
2016108268.tif 000017
【図１６】
2016108268.tif 000018
【図１７】
2016108268.tif 000019
【国際調査報告】
2016108268.tif 000020
2016108268.tif 000021
2016108268.tif 000022
2016108268.tif 000023